(57)【要約】【課題】車両等の移動体のセンサによる進路のセンシングが適切に行えない状況でも適切に移動体の走行を支援する情報処理装置を提供する。【解決手段】車両１Ａの情報処理装置１００Ａは、進路をセンシングするセンサからセンシング結果を取得する取得部１１０Ａと、外部装置（例えば車両１Ｂ等）から車両１Ａの進路のセンシング結果を受信する通信部１２０Ａと、特定の時点の車両１Ａの状況が、センサから取得されるセンシング結果が所定条件を満たす第１状況か否かを判定する判定部１３０と、第１状況であると判定部１３０が判定した場合にはセンサから取得したセンシング結果に基づいて、車両１Ａの移動を制御するための第１情報を生成し、第１状況でないと判定部１３０が判定した場合には外部装置から受信したセンシング結果に基づいて第１情報を生成する生成部１４０と、その第１情報を出力する出力部１５０とを備える。【選択図】図２
2018136917.tif 000002
【特許請求の範囲】
【請求項１】
移動体に搭載される情報処理装置であって、
前記移動体に搭載されて前記移動体の進路をセンシングするセンサからセンシング結果を取得する取得部と、
前記移動体外の外部装置から前記移動体の進路についてのセンシング結果を受信する通信部と、
特定の時点の前記移動体の状況が、前記センサから取得されるセンシング結果が所定条件を満たす第１状況であるか否かを、判定する判定部と、
前記特定の時点の前記移動体の状況が前記第１状況であると前記判定部が判定した場合には前記センサから取得したセンシング結果に基づいて、前記移動体の移動を制御するための第１情報を生成し、前記特定の時点の前記移動体の状況が前記第１状況でないと前記判定部が判定した場合には前記外部装置から受信したセンシング結果に基づいて前記第１情報を生成する生成部と、
前記第１情報を出力する出力部とを備える
情報処理装置。
【請求項２】
前記センサは、イメージセンサを含み、
前記センシング結果は、画像情報を含む
請求項１に記載の情報処理装置。
【請求項３】
前記第１状況の判定は、各領域内の明るさの差異が所定程度以上である連続した２領域間を前記移動体が移動するかを判定することを含む
請求項２に記載の情報処理装置。
【請求項４】
前記２領域間を前記移動体が移動するかを判定することは、前記移動体の位置の測定結果と、前記２領域の所在位置を示す位置情報とに基づいて、前記移動体が前記２領域の境界に接近しているかを判定することを含む、
請求項３に記載の情報処理装置。
【請求項５】
前記２領域間を前記移動体が移動するかを判定することは、前記イメージセンサから取得される画像情報の示す画像に前記２領域の境界が映っているかを判定することを含む
請求項３に記載の情報処理装置。
【請求項６】
前記第１状況の判定は、前記イメージセンサから前記所定条件を満たすセンシング結果が取得されたか否かを判定することを含む
請求項２に記載の情報処理装置。
【請求項７】
前記第１状況の判定は、前記イメージセンサによるセンシング結果として生成された画像の画素値についての統計処理の結果と閾値との比較を含む
請求項６に記載の情報処理装置。
【請求項８】
前記所定条件は、前記イメージセンサにより生成される画像の所定数の画素値が、所定範囲に収まる場合に満たされず、当該所定範囲を超える場合に満たされる
請求項６に記載の情報処理装置。
【請求項９】
前記生成部は、前記特定の時点の前記移動体の状況が前記第１状況でないと前記判定部が判定した場合には、前記センサから取得したセンシング結果に基づかずに前記第１情報を生成する
請求項２〜８のいずれか一項に記載の情報処理装置。
【請求項１０】
前記生成部は、前記特定の時点の前記移動体の状況が前記第１状況でないと前記判定部が判定した場合には、前記センサから取得したセンシング結果にも基づいて、前記センサからの当該センシング結果が前記第１情報に与える影響を、前記特定の時点の前記移動体の状況が前記第１状況であると前記判定部が判定した場合より抑制する
請求項２〜８のいずれか一項に記載の情報処理装置。
【請求項１１】
前記通信部は、各領域内の明るさの差異が所定程度以上である連続した２領域間を前記移動体が移動する前又は移動中に、前記外部装置に前記移動体の進路についてのセンシング結果の送信要求を送信する
請求項２〜８のいずれか一項に記載の情報処理装置。
【請求項１２】
移動体に搭載されるプロセッサが実行する情報処理方法であって、
前記移動体の進路をセンシングするセンサからセンシング結果を取得する取得ステップと、
前記移動体外の外部装置から前記移動体の進路についてのセンシング結果を受信する受信ステップと、
特定の時点の前記移動体の状況が、前記センサから取得されるセンシング結果が所定条件を満たす第１状況である場合には、前記センサから取得したセンシング結果に基づいて、前記移動体の移動を制御するための第１情報を生成し、前記特定の時点の前記移動体の状況が前記第１状況でない場合には、前記外部装置から受信したセンシング結果に基づいて前記第１情報を生成する生成ステップとを含む
情報処理方法。
【請求項１３】
移動体に搭載されるコンピュータに所定情報処理を行わせるためのプログラムであって、
所定情報処理は、
前記移動体の進路をセンシングするセンサからセンシング結果を取得する取得ステップと、
前記移動体外の外部装置から前記移動体の進路についてのセンシング結果を受信する受信ステップと、
特定の時点の前記移動体の状況が、前記センサから取得されるセンシング結果が所定条件を満たす第１状況である場合には、前記センサから取得したセンシング結果に基づいて、前記移動体の移動を制御するための第１情報を生成し、前記特定の時点の前記移動体の状況が前記第１状況でない場合には、前記外部装置から受信したセンシング結果に基づいて前記第１情報を生成する生成ステップとを含む
プログラム。
【請求項１４】
第１移動体に搭載される情報処理装置であって、
前記第１移動体における第１センサ又は前記第１移動体の周辺の第２センサから前記第１移動体の外部についてのセンシング結果を取得する取得部と、
前記第２移動体の特定の時点の状況が、前記第２移動体に搭載されて前記第２移動体の進路をセンシングする第３センサから取得されるセンシング結果が所定条件を満たす第１状況であるかを判定する判定部と、
前記特定の時点の前記第２移動体の状況が前記第１状況でないと判定されることに応じて、前記取得部によって前記第１センサ又は前記第２センサから取得されるセンシング結果を送信する通信部とを備える
情報処理装置。
【請求項１５】
前記取得部は、前記第１センサ又は前記第２センサから前記第２移動体の進路についてのセンシング結果を取得し、
前記特定の時点の前記第２移動体の状況が前記第１状況であるかの判定は、各領域内の明るさの差異が所定程度以上である連続した２領域を前記第２移動体が移動するかを判定することを含み、
前記通信部は、前記第１移動体が前記２領域の境界に接近したことに応じて前記第１センサ又は前記第２センサから取得されるセンシング結果を送信する
請求項１４に記載の情報処理装置。
【請求項１６】
前記特定の時点の前記第２移動体の状況が前記第１状況であるかの判定は、前記通信部が前記第２移動体からセンシング結果の送信要求を受信したかを判定することを含み、
前記通信部は、前記第２移動体から前記送信要求を受信したことに応じて前記第１センサ又は前記第２センサから取得されるセンシング結果を送信する
請求項１４に記載の情報処理装置。
【発明の詳細な説明】
【技術分野】
【０００１】
本発明は、センサによる移動体の進路のセンシング結果に基づいて移動体の移動を支援する技術に関する。
【背景技術】
【０００２】
自動車は、例えば、各種センサ、各種アクチュエータ、各種電子制御ユニット（ＥＣＵ：Electronic Control Unit）等の装置を備える。アクチュエータ、車載センサ等と接続された各種ＥＣＵは、相互に車載ネットワークで接続されており、各種の情報処理（データ入出力、演算等）を担う。各種ＥＣＵは、車載ネットワークによりデータの授受を行って連携することで、例えば自動車等の車両を制御する車両制御装置として機能し、或いは、その制御に必要な情報処理を行う情報処理装置として機能し得る。例えば、複数のＥＣＵは、連携することで先進運転者支援システム（ＡＤＡＳ：Advanced Driver Assistance  System）の各機能（例えば、駐車支援機能、車線維持支援機能、衝突回避支援機能等）を実現する。例えば、衝突回避支援機能では、車載センサと接続されて進路上の障害物の検知を行うＥＣＵ、障害物に衝突する可能性を判断して緊急ブレーキの制御指示を出す情報処理装置として働くＥＣＵ、緊急ブレーキの制御指示に応じてブレーキを制御する車両制御装置として働くＥＣＵ等が連携する。
【０００３】
先進運転者支援システム等では、車載センサ（例えばレーダー、イメージセンサ等）によるセンシング（観測等）の結果を用いて障害物の検知等を行って車両の走行支援のための機能（衝突回避支援機能等）を作動させるので、例えば車載センサによるセンシングの結果が、低い精度の場合、或いは、誤っている場合には、車両の走行支援を適切に行うことができなくなる。例えば車両の進行方向前方を撮像するイメージセンサにより生成される画像に基づく画像処理によって車両の前方の障害物のサイズ、位置等を検知することで走行支援を行うシステムでは、車両がトンネルに入った直後等に、障害物の検知を適切に行えないことがある。トンネルの外側の明るさに対して、トンネルの内側が極めて暗い状況（例えば晴天の昼間等）において、車両がある程度速い速度でトンネルに入ると、車両に搭載されたイメージセンサは、自動感度調整機能によっても感度の調整が間に合わず、トンネルに入った直後には不明瞭な画像を生成してしまう。これにより障害物の検知が適切に行えなくなる。
【０００４】
従来、自車両と前方障害物との接触を回避する走行安全装置において、自車両がトンネル内への進入直後の所定時間の間は危険回避処置が他のときよりも早期に取られるよう制御ロジックを変更する技術が知られている（特許文献１参照）。これは、トンネルへの車両の進入直後に運転者の視覚が明るさの急変に対応できず運転操作が鈍くなるので、早期に危険回避処置を行う技術である。
【先行技術文献】
【特許文献】
【０００５】
【特許文献１】特開平６−４４４９９号公報
【発明の概要】
【発明が解決しようとする課題】
【０００６】
特許文献１の技術は、障害物への接近に対して早期に対処するものであるが、この技術を用いても、もしも車載センサによるセンシングの精度又は正確性の低下が生じてしまうと、適切に対処できない。
【０００７】
そこで、本開示は、移動体に搭載されたセンサ（例えば車載センサ）によるその移動体の進路のセンシングが適切に行えないような状況においても適切にその移動体の移動（走行）を支援するための情報処理装置を提供する。この移動体の走行を支援する情報処理装置は、例えばその移動体（車両等）に搭載される情報処理装置或いはその移動体とは別の移動体（別の車両等）に搭載される情報処理装置である。また、本開示は、車両等の移動体に搭載されたセンサによるその移動体の進路のセンシングが適切に行えないような状況においてもその移動体の走行に係る制御を適切に行うための情報処理方法、及び、その情報処理を、移動体に搭載されたコンピュータ（例えばＥＣＵ等の車載コンピュータ）に行わせるためのプログラムを提供する。
【課題を解決するための手段】
【０００８】
上記課題を解決するために本発明の一態様に係る情報処理装置は、移動体に搭載される情報処理装置であって、前記移動体に搭載されて前記移動体の進路をセンシングするセンサからセンシング結果を取得する取得部と、前記移動体外の外部装置から前記移動体の進路についてのセンシング結果を受信する通信部と、特定の時点の前記移動体の状況が、前記センサから取得されるセンシング結果が所定条件を満たす第１状況であるか否かを、判定する判定部と、前記特定の時点の前記移動体の状況が前記第１状況であると前記判定部が判定した場合には前記センサから取得したセンシング結果に基づいて、前記移動体の移動を制御するための第１情報を生成し、前記特定の時点の前記移動体の状況が前記第１状況でないと前記判定部が判定した場合には前記外部装置から受信したセンシング結果に基づいて前記第１情報を生成する生成部と、前記第１情報を出力する出力部とを備える。
【０００９】
また、上記課題を解決するために本発明の一態様に係る情報処理方法は、移動体において前記移動体の移動を支援するための情報処理方法であって、前記移動体の進路をセンシングするセンサからセンシング結果を取得する取得ステップと、前記移動体外の外部装置から前記移動体の進路についてのセンシング結果を受信する受信ステップと、特定の時点の前記移動体の状況が、前記センサから取得されるセンシング結果が所定条件を満たす第１状況である場合には、前記センサから取得したセンシング結果に基づいて、前記移動体の移動を制御するための第１情報を生成し、前記特定の時点の前記移動体の状況が前記第１状況でない場合には、前記外部装置から受信したセンシング結果に基づいて前記第１情報を生成する生成ステップとを含む。
【００１０】
また、上記課題を解決するために本発明の一態様に係るプログラムは、移動体に搭載されるコンピュータに所定情報処理を行わせるためのプログラムであって、所定情報処理は、前記移動体の進路をセンシングするセンサからセンシング結果を取得する取得ステップと、前記移動体外の外部装置から前記移動体の進路についてのセンシング結果を受信する受信ステップと、特定の時点の前記移動体の状況が、前記センサから取得されるセンシング結果が所定条件を満たす第１状況である場合には、前記センサから取得したセンシング結果に基づいて、前記移動体の移動を制御するための第１情報を生成し、前記特定の時点の前記移動体の状況が前記第１状況でない場合には、前記外部装置から受信したセンシング結果に基づいて前記第１情報を生成する生成ステップとを含む。
【００１１】
また、上記課題を解決するために本発明の一態様に係る情報処理装置は、第１移動体に搭載される情報処理装置であって、前記第１移動体における第１センサ又は前記第１移動体の周辺の第２センサから前記第１移動体の外部についてのセンシング結果を取得する取得部と、前記第２移動体の特定の時点の状況が、前記第２移動体に搭載されて前記第２移動体の進路をセンシングする第３センサから取得されるセンシング結果が所定条件を満たす第１状況であるかを判定する判定部と、前記特定の時点の前記第２移動体の状況が前記第１状況でないと判定されることに応じて、前記取得部が取得する前記第１センサ又は前記第２センサから取得されるセンシング結果を送信する通信部とを備える。
【発明の効果】
【００１２】
本発明によれば、例えば車載センサによる車両の進路のセンシングが適切に行えないような状況においても適切にその車両の走行を支援することができる。
【図面の簡単な説明】
【００１３】
【図１】トンネルの出入口付近を走行中の車両等を示す図である。
【図２】相互に通信する情報処理装置を搭載した各車両の構成図である。
【図３】トンネルに進入する車両に搭載されたイメージセンサにより撮像された画像の例を示す図である。
【図４】実施の形態１に係る車両に搭載された情報処理装置によるその車両の走行支援のための情報処理の一例を示すフローチャートである。
【図５】実施の形態２に係る車両の走行支援のための情報処理の一例を示すフローチャートである。
【図６】実施の形態３に係る車両の走行支援のための情報処理の一例を示すフローチャートである。
【図７】車両に搭載された情報処理装置による他の車両の走行支援のための処理の一例を示すフローチャートである。
【発明を実施するための形態】
【００１４】
車両の走行の支援のためには、車両に搭載されたセンサ（車載センサ）によるその車両の進路のセンシング結果に基づいて、車両の走行を支援するための走行支援情報（進路上の障害物、路面状態等に関連した情報等）を生成し、その走行支援情報を、ディスプレイへの表示等により車両のユーザ（運転者）に提示する、或いは、その走行支援情報を制御信号として車両制御装置（エンジン、ブレーキ、ステアリング等を制御するＥＣＵ等）に送信することが有用となる。しかし、車載センサによる車両の進路のセンシングの精度が低下する状況では、進路上の障害物（例えば歩行者、他の車両、落石、車両からの落下物その他の物品等）、路面状態（例えば凹凸、水たまり、凍結部分）、進路上での火災等の検知が適切に行えず、適切に車両の走行支援を行うことができない。例えば、車両の前方等の進路を撮像するイメージセンサ（カメラ）が生成する画像に基づく画像処理により障害物等の検知を行う先進運転者支援システムを備える車両が、時速６０ｋｍで晴天の昼間等においてトンネルへと進入する際には、トンネルに入った直後に急に暗くなることから、イメージセンサの感度調整が遅れて一時的に画質の悪い画像を生成してしまう。その車両がトンネルから出た直後にも、明るさが急に明るくなることから、イメージセンサは、また一時的に画質の悪い画像を生成してしまう。そこで、トンネルの出入り口付近の通過時等といった、車載センサによるセンシング結果の質が低下する際に、車両外部からセンシング結果を受信して車両の走行支援に用いる制御方法等である情報処理方法に想到した。
【００１５】
本発明の一態様に係る情報処理装置等では、その方法により、車両の進路をセンシングする車載センサから所定基準を満たすセンシング結果が取得される状況（正常状況）か否かを判定し、正常状況でない場合には、車外（例えば対向車、先行車、路側機等）から、その車両の進路についてのセンシング結果を受信して走行支援に利用する。これにより、トンネルの出入り口等の車載センサのセンシング結果の質が低下する際に、不適切な走行支援情報の生成によって事故が生じる可能性を低減し得る。なお、ここでは主として車両の走行支援について説明するが、車載センサによるセンシング結果の質が低下する際に、車両外部からセンシング結果を受信して車両の走行支援に用いる情報処理方法は、車両以外の移動体（例えば、移動するロボット等）にも応用可能である。
【００１６】
本発明の一態様に係る情報処理装置は、移動体に搭載される情報処理装置であって、前記移動体に搭載されて前記移動体の進路をセンシングするセンサからセンシング結果を取得する取得部と、前記移動体外の外部装置から前記移動体の進路についてのセンシング結果を受信する通信部と、特定の時点の前記移動体の状況が、前記センサから取得されるセンシング結果が所定条件を満たす第１状況であるか否かを、判定する判定部と、前記特定の時点の前記移動体の状況が前記第１状況であると前記判定部が判定した場合には前記センサから取得したセンシング結果に基づいて、前記移動体の移動を制御するための第１情報を生成し、前記特定の時点の前記移動体の状況が前記第１状況でないと前記判定部が判定した場合には前記外部装置から受信したセンシング結果に基づいて前記第１情報を生成する生成部と、前記第１情報を出力する出力部とを備える。所定条件は、センシング結果が、実際のセンシングの対象の状態を適切に表した情報となっているか否かを区別する基準であり、適切であれば満たされ、適切でなければ満たされないように定めればよい。判定部による判定は、取得部が取得したセンシング結果に基づいて（例えば移動体が車両の場合において車載イメージセンサによるセンシング結果としての画像の解析等により）なされてもよいし、他の方法（例えば明るさの急変によりイメージセンサのセンシング精度が一時的に低下するトンネルの出入り口付近を車両が通過することを測位情報、地図情報等に基づいて検知する等）によって推定的になされてもよい。これにより、第１状況、すなわち正常状況においては、車載センサ等のセンサのセンシング結果が適切であるのでそのセンシング結果を用いて適切な移動支援が行え、第１状況でない場合、すなわち正常状況でない場合には、外部からのセンシング結果を、センサのセンシング結果の代わりとして或いは優先して用いること等によって、適切な移動支援が行える。
【００１７】
また、前記センサは、イメージセンサを含み、前記センシング結果は、画像情報を含んでいてもよい。
【００１８】
また、前記第１状況の判定は、各領域内の明るさの差異が所定程度以上である連続した２領域間を前記移動体が移動するかを判定することを含んでもよい。例えば、前記２領域間を前記移動体が移動するかを判定することは、前記移動体の位置の測定結果と、前記２領域の所在位置を示す位置情報とに基づいて、前記移動体が前記２領域の境界に接近しているかを判定することを含んでもよい。
【００１９】
これにより、移動体がトンネルの出入り口付近等の明るさの差が大きな部分を走行しているか否かを、位置を用いて比較的容易に判定できるので、情報処理装置は、その判定の結果に応じて、第１情報の生成の基礎とすべき情報（センシング結果）を適切に選択できる。
【００２０】
あるいは、前記２領域間を前記移動体が移動するかを判定することは、前記イメージセンサから取得される画像情報の示す画像に前記２領域の境界が映っているかを判定することを含んでもよい。
【００２１】
これにより、移動体が２領域の境界を移動することを、既存の構成であるイメージセンサを用いて判定することができる。したがって、コストの増加を抑制することができる。また、各領域内の明るさの差異が所定程度以上に大きな連続した２領域間を移動体が移動する際（例えば移動体がトンネルの内外領域間を移動する際）に、移動体の情報処理装置は、センサのセンシングが一時的に適切に行えなくても外部装置から受信したセンシング結果に基づいて第１情報の生成を行うので、適切な移動支援が可能となる。つまり、情報処理装置は、移動体の状況が第１の状況でなくても、外部装置のセンシング結果に基づいて第１情報の生成を行うため、適切な移動支援が可能となる。
【００２２】
また、例えば、前記第１状況の判定は、前記イメージセンサから前記所定条件を満たすセンシング結果が取得されたか否かを判定することを含むこととしてもよい。これにより、イメージセンサによる実際のセンシング結果に基づいて判定するので、第１情報の生成のために外部装置から受信した情報を用いるべきか否かを適切に区別できる。
【００２３】
また、例えば、前記第１状況の判定は、前記イメージセンサによるセンシング結果として生成された画像の画素値についての統計処理の結果と閾値との比較を含むこととしてもよい。これにより、移動体に搭載されたイメージセンサで撮像された画像が、移動体の進路上の障害物等を検出するために十分な質（精度等）を有するか否かを区別できる。
【００２４】
また、例えば、前記所定条件は、前記イメージセンサにより生成される画像の所定数の画素値が、所定範囲に収まる場合に満たされず、当該所定範囲を超える場合に満たされることとしてもよい。これにより、例えば、十分な分解能を有する画像が撮像で得られないような場合には前記移動体の状況が第１状況ではないとして、第１状況とは異なるようにして（例えば外部装置から受信したセンシング結果に基づいて）、第１情報の生成を行うこととなる。このため、状況に応じて適切な移動支援が可能となる。
【００２５】
また、例えば、前記生成部は、前記特定の時点の前記移動体の状況が前記第１状況でないと前記判定部が判定した場合には、前記センサから取得したセンシング結果に基づかずに前記第１情報を生成することとしてもよい。これにより、特定の時点の移動体の状況が第１状況（例えば正常状況）であればセンサのセンシング結果に基づいて移動体の移動支援がなされ、その状況が第１状況でなければセンサのセンシング結果が第１情報の生成に用いられないので、第１状況でない場合のセンサのセンシング結果に基づく進路上の障害物、路面状態等の誤検知、検知漏れ等による弊害の発生が防止される。
【００２６】
また、例えば、前記生成部は、前記特定の時点の前記移動体の状況が前記第１状況でないと前記判定部が判定した場合には、前記センサから取得したセンシング結果にも基づいて、前記センサからの当該センシング結果が前記第１情報に与える影響を、前記特定の時点の前記移動体の状況が前記第１状況であると前記判定部が判定した場合より抑制することとしてもよい。これにより、特定の時点の移動体の状況が第１状況（例えば正常状況）でない場合に、センサのセンシング結果と外部装置から受信したセンシング結果とを併用して第１情報の生成をするときにおいて、進路上の障害物、路面状態等の誤検知、検知漏れ等といった弊害の発生が低減され得る。
【００２７】
また、例えば、前記通信部は、各領域内の明るさの差異が所定程度以上である連続した２領域間を前記移動体が移動する前又は移動中に、前記外部装置に前記移動体の進路についてのセンシング結果の送信要求を送信することとしてもよい。これにより、情報処理装置が必要に応じて外部装置にセンシング結果の送信の契機を与えることができる。このため、外部装置では、常時センシング結果の送信を繰り返す必要がなく、主体的に送信すべきタイミングを決定するための構成を備えなくてもよい。
【００２８】
また、本発明の一態様に係る情報処理方法は、移動体において前記移動体の移動を支援するための情報処理方法であって、前記移動体の進路をセンシングするセンサからセンシング結果を取得する取得ステップと、前記移動体外の外部装置から前記移動体の進路についてのセンシング結果を受信する受信ステップと、特定の時点の前記移動体の状況が、前記センサから取得されるセンシング結果が所定条件を満たす第１状況である場合には、前記センサから取得したセンシング結果に基づいて、前記移動体の移動を制御するための第１情報を生成し、前記特定の時点の前記移動体の状況が前記第１状況でない場合には、前記外部装置から受信したセンシング結果に基づいて前記第１情報を生成する生成ステップとを含む。これにより、センサのセンシング結果が所定条件を満たす第１状況、すなわち適切である状況では、そのセンシング結果を用い、所定条件を満たさない状況、すなわち適切でない状況では、外部から受信したセンシング結果を用いることで、適切に移動体の移動支援を行うことが可能となる。
【００２９】
また、本発明の一態様に係るプログラムは、移動体に搭載されるコンピュータに所定情報処理を行わせるためのプログラムであって、所定情報処理は、前記移動体の進路をセンシングするセンサからセンシング結果を取得する取得ステップと、前記移動体外の外部装置から前記移動体の進路についてのセンシング結果を受信する受信ステップと、特定の時点の前記移動体の状況が、前記センサから取得されるセンシング結果が所定条件を満たす第１状況である場合には、前記センサから取得したセンシング結果に基づいて、前記移動体の移動を制御するための第１情報を生成し、前記特定の時点の前記移動体の状況が前記第１状況でない場合には、前記外部装置から受信したセンシング結果に基づいて前記第１情報を生成する生成ステップとを含む。このプログラムを、移動体に搭載されたコンピュータ等（プロセッサを備える装置）にインストールすることにより、そのプロセッサ（マイクロプロセッサ）がプログラムを実行することで、移動体への適切な移動支援が実現される。
【００３０】
また、本発明の一態様に係る情報処理装置は、第１移動体に搭載される情報処理装置であって、前記第１移動体における第１センサ又は前記第１移動体の周辺の第２センサから前記第１移動体の外部についてのセンシング結果を取得する取得部と、前記第２移動体の特定の時点の状況が、前記第２移動体に搭載されて前記第２移動体の進路をセンシングする第３センサから取得されるセンシング結果が所定条件を満たす第１状況であるかを判定する判定部と、前記特定の時点の前記第２移動体の状況が前記第１状況でないと判定されることに応じて、前記取得部によって前記第１センサ又は前記第２センサから取得されるセンシング結果を送信する通信部とを備える。これにより、第２移動体に搭載された第３センサでのセンシングが適切に行えない状況、すなわち第３センサのセンシング結果が所定条件を満たさない第１状況において、第２移動体（第２移動体の情報処理装置等）は、第１移動体からセンシング結果を受信し得るので、受信したセンシング結果を利用することで適切に第２移動体の移動支援を行うことが可能となる。
【００３１】
また、例えば、前記取得部は、前記第１センサ又は前記第２センサから前記第２移動体の進路についてのセンシング結果を取得し、前記特定の時点の前記第２移動体の状況が前記第１状況であるかの判定は、各領域内の明るさの差異が所定程度以上である連続した２領域を前記第２移動体が移動するかを判定することを含み、前記通信部は、前記第１移動体が前記２領域の境界に接近したことに応じて前記第１センサ又は前記第２センサから取得されるセンシング結果を送信することとしてもよい。これにより、第２移動体は、要求しなくても必要時に第１移動体からセンシング結果を受信できるようになる。
【００３２】
また、例えば、前記特定の時点の前記第２移動体の状況が前記第１状況であるかの判定は、前記通信部が前記第２移動体からセンシング結果の送信要求を受信したかを判定することを含み、前記通信部は、前記第２移動体から前記送信要求を受信したことに応じて前記第１センサ又は前記第２センサから取得されるセンシング結果を送信することとしてもよい。これにより、第１移動体の情報処理装置は、効率的に第２移動体の走行を支援することが可能となる。
【００３３】
なお、これらの全般的又は具体的な態様は、システム、方法、集積回路、コンピュータプログラム又はコンピュータで読み取り可能なＣＤ−ＲＯＭ等の記録媒体で実現されてもよく、システム、方法、集積回路、コンピュータプログラム又は記録媒体の任意な組み合わせで実現されてもよい。
【００３４】
以下、実施の形態に係る情報処理方法を用いる情報処理装置等について、図面を参照しながら説明する。ここで示す実施の形態は、いずれも本発明の一具体例を示すものである。従って、以下の実施の形態で示される数値、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００３５】
（実施の形態１）
以下、本発明の実施の一態様として、車両に搭載され、先進運転者支援システムを構成する情報処理装置等について図面を用いて説明する。
【００３６】
［１．１  車両の走行による状況変化］
まず、車両が走行により正常状況（車載センサから所定基準を満たすセンシング結果が取得される状況）から正常状況でない状況へ変化する例について図１を用いて説明する。図１は、トンネルの天井を透視して上から見た模式図であり、トンネルの出入り口付近を走行中の車両等を示す。なお、上述の所定基準は所定条件ともいい、正常状況は、センサから取得されるセンシング結果が所定条件を満たす第１状況である。
【００３７】
図１では、車両１Ａが、トンネル１０の外部を走行し、トンネル１０へと進入しようとして出入り口に接近している。晴天の昼間を想定すると、トンネル１０の外部は明るく、トンネル１０の内部は暗い。トンネル１０内には、対向車である車両１Ｂが、車両１Ａと逆方向に走行している。また、車両１Ａの前方のトンネル１０内には故障等で停止した車両（例えばトレーラー）等といった障害物１１が存在する。車両１Ａは、先進運転者支援システムを備え、車載センサであるイメージセンサ（カメラ）を用いて車両の進路を撮像して得られた画像に基づく画像処理によって進路上の障害物、路面状態等を検知し、その検知結果に応じた走行支援情報を生成する。走行支援情報は、車両の制御、ユーザ（運転者）への報知等に用いられる。車両１Ａのイメージセンサでは、車両１Ａがトンネル１０の外部を走行している場合においては通常感度で撮像が行われ、車両１Ａがトンネル１０の内部等といった暗い場所を走行している場合においては自動感度調整機能により高感度で撮像が行われる。なお、上述の走行支援情報は、車両などの移動体の移動を制御するための情報であって、移動支援情報または第１情報ともいう。
【００３８】
車両１Ａがトンネル１０に進入した直後は、車両１Ａのイメージセンサの自動感度調整機能の調整が遅延し、イメージセンサが生成する画像は、一時的に、例えば各画素の輝度が非常に低い等といった画質の悪い画像となり得る。画質の悪い画像に基づくと進路上の障害物等を適切に検知できない可能性がある。図１の例の場合では、車両１Ａの車速がある程度速いと、トンネル１０へと進入した直後の明るさの急激な変化によって車両１Ａのイメージセンサのセンシング結果に基づく障害物１１の検知が遅れてしまい、事故が発生しかねない。しかし、車両１Ａ及び車両１Ｂは、車車間通信機能を備え、車両１Ａは、車両１Ｂとの通信等によりこの事故の発生を未然に防ぐ機能を有している。
【００３９】
［１．２  車両のシステム構成］
以下、車両１Ａ及び車両１Ｂの構成について、主として車両１Ａの走行支援（車両１Ａの進路についてのセンシング等）に関連する構成に着目して説明する。
【００４０】
図２は、相互に通信する情報処理装置を搭載した車両１Ａ及び車両１Ｂの構成を示す。
【００４１】
同図に示すように、車両１Ａは、情報処理装置１００Ａと車載センサ２００Ａと車両制御装置２１０とを備える。
【００４２】
車載センサ２００Ａは、車両１Ａの進路をセンシングする１つ又は複数のセンサであり、センサの数はいくつでもよい。進路のセンシングには、例えば、イメージセンサ、レーダー、ライダー（ＬＩＤＡＲ）等が用いられる。ここでは、一例として車載センサ２００Ａが、イメージセンサ（カメラ）を含むものとして説明する。車載センサ２００Ａは、車両１Ａの進路（例えば前方）をセンシング（イメージセンサでは撮像して画像を生成）することでセンシング結果（画像等）を情報処理装置１００Ａに伝達する。
【００４３】
情報処理装置１００Ａは、１台の電子制御ユニット（ＥＣＵ）又は車載ネットワーク（バス等）で接続された複数台のＥＣＵで構成され、車載センサ２００Ａから得たセンシング結果等に基づいて走行支援情報を生成して出力する機能を有する。
【００４４】
車両制御装置２１０は、１台又は複数台のＥＣＵ（例えば車両のエンジン、ブレーキ、ステアリング等を制御するＥＣＵ）で構成され、情報処理装置１００Ａから制御信号を伝えられると、制御信号に応じて、一部のＥＣＵに接続されたアクチュエータを駆動すること等により車両を制御する。
【００４５】
ＥＣＵは、例えば、プロセッサ（マイクロプロセッサ）、メモリ等のデジタル回路、アナログ回路、通信回路、入出力インタフェース等を含む装置である。メモリは、ＲＯＭ、ＲＡＭ等であり、プロセッサにより実行されるプログラム（ソフトウェアとしてのコンピュータプログラム）を記憶することができる。例えばプロセッサが、プログラム（コンピュータプログラム）に従って動作することにより、ＥＣＵは、情報処理装置１００Ａ或いは車両制御装置２１０としての機能等といった各種機能を実現することになる。なお、コンピュータプログラムは、所定の機能を達成するために、プロセッサに対する指令を示す命令コードが複数個組み合わされて構成されたものである。ＥＣＵは、バス等の車載ネットワークを介して同一車両内の他のＥＣＵと情報の授受を行い得る。情報処理装置１００Ａを構成する一部のＥＣＵは、車両１Ａの車外の装置（外部装置）と通信する機能（車車間通信機能、路車間通信機能等）を有する。また、情報処理装置１００Ａを構成する一部のＥＣＵは、ディスプレイ等といったユーザに情報を提示する装置を備える。
【００４６】
情報処理装置１００Ａは、走行支援情報を生成して出力する機能を実現するための構成として、図２に示すように、取得部１１０Ａと、通信部１２０Ａと、判定部１３０と、生成部１４０と、出力部１５０とを備える。
【００４７】
取得部１１０Ａは、ＥＣＵにおける、車載センサ２００Ａからセンシング結果を受け取る入力インタフェース、プログラムを実行するプロセッサ等で実現され、車載センサ２００Ａからセンシング結果を取得する。取得部１１０Ａが取得するセンシング結果には、イメージセンサにより生成された画像が含まれる。取得部１１０Ａが取得した画像に基づいて画像処理を行うことで、車両１Ａの進路上の障害物、路面状態等の検知が可能となり得る。
【００４８】
通信部１２０Ａは、ＥＣＵにおけるプログラムを実行するプロセッサ、通信回路等で実現され、車両１Ａの外部の外部装置と通信して、車両１Ａの進路についてのセンシング結果を受信する。例えば、通信部１２０Ａは、車両１Ａの周囲に所在する外部装置に対して近距離無線通信技術等によりセンシング結果（車両１Ａの進路についてのセンシング結果）の送信要求を送信し、この送信要求を受けて外部装置（例えば車両１Ａの対向車である車両１Ｂの情報処理装置１００Ｂ）から送信されるセンシング結果を受信する。送信要求には、例えば、車両１Ａの識別情報と、車両１Ａの位置情報（例えば車載センサ２００Ａにおける車両位置の測定用の測位センサ等が生成した情報）等が含まれる。測位センサは、例えばＧＰＳ（Global Positioning System）受信機、ジャイロセンサ等である。通信部１２０Ａは、各領域内の明るさの差異が所定程度以上に大きな連続した２領域間を車両１Ａが移動する際（例えばトンネル１０の外部の領域からトンネル１０の内部の領域へと明暗の境界を越えて進入する際）に、車両１Ａの近くに所在する外部装置に対して送信要求を送信する。外部装置は、移動する装置（例えば対向車である車両１Ｂの情報処理装置１００Ｂ、同じ方向に進む先行車の車載装置）でもよいし、移動しない装置（例えば明暗の境界付近に設置された路側機等）でもよいが、ここでは、車両１Ｂの情報処理装置１００Ｂが送信要求を受信した場合に車両１Ｂの前方であって車両１Ａの進路についてのセンシング結果を車両１Ａの情報処理装置１００Ａに送信するものとして説明する。なお、車両１Ａの先行車等、車両１Ｂ、車両１Ｂの後続車その他周囲の車両（つまり車両の車載装置）は、車両１Ａからの送信要求を他の車両に転送してもよく、転送された送信要求を受けた車両が、車両１Ａの進路についてのセンシング結果を車両１Ａに、直接、或いは転送機能を有する他車両を介して間接的に、送信してもよい。通信部１２０Ａによる送信要求の送信は、明るさの差異が大きな領域間の境界を超える前後に亘る期間内に行われることが有用である。ここでは、例えば、車両１Ａがトンネル１０の出入り口等の明暗の境界を越えた直後に送信する例を用いて説明するが、例えば、車両１Ａがトンネル１０の出入り口を通過する直前（例えば通過の数秒前、数十秒前等）であってもよい。このように、本実施の形態では、通信部１２０Ａは、各領域内の明るさの差異が所定程度以上である連続した２領域間を車両１Ａが移動する前又は移動中に、外部装置に車両１Ａの進路についてのセンシング結果の送信要求を送信する。
【００４９】
判定部１３０は、ＥＣＵにおけるプログラムを実行するプロセッサ等で実現され、車両１Ａの状況が、車載センサ２００Ａから所定基準を満たすセンシング結果が取得される正常状況であるか否かを、判定する。言い換えれば、判定部１３０は、特定の時点の車両１Ａの状況が、センサから取得されるセンシング結果が所定条件を満たす第１状況であるか否かを、判定する。判定部１３０は、例えば、各領域内の明るさの差異が所定程度以上に大きな連続した２領域間の境界を車両１Ａが超えて領域間を移動する際に、車両１Ａが正常状況にないと判定し得る。つまり、第１状況の判定は、各領域内の明るさの差異が所定程度以上である連続した２領域間を車両１Ａが移動するかを判定することを含む。所定基準は、センシング結果が、実際のセンシング対象の状態を適切に表した情報となっているか否かを区別する基準であり、適切であれば満たされ、適切でなければ満たされない。所定基準は、例えば正確性、精度、信頼性等の評価基準等であり、その評価手法はいかなるものでもよい。ここでは、一例として、車載センサ２００Ａとしてのイメージセンサのセンシング結果である画像の各画素の輝度分布が全体的に明る過ぎる（例えば表現可能な輝度範囲を０から１００％とした場合に全画素の輝度が９０％以上である）又は暗過ぎる（例えば表現可能な輝度範囲を０から１００％とした場合に例えば全画素の輝度が１０％以下である）場合に所定基準を満たさず、その他の場合に所定基準を満たすものとする。
【００５０】
判定部１３０は、取得部１１０Ａが実際に取得した車載センサ２００Ａ（例えばイメージセンサ）からのセンシング結果（例えば画像）に基づいて、例えば画像解析等によって正常状況であるか否かを判定することとしてもよいし、他の方法（車両１Ａがトンネル１０の出入り口に接近しているか否かの検知等）によって推定的に正常状況であるか否かを判定することとしてもよい。ここでは、判定部１３０が、取得部１１０Ａが取得した、イメージセンサが生成した画像を解析することで、所定基準を満たすセンシング結果（画像）が取得されたか否かに基づいて、正常状況であるか否かの判定を行うものとして説明を続ける。例えば、判定部１３０は、取得部１１０Ａがイメージセンサから取得した画像の各画素値についての統計処理の結果と閾値との比較によって、所定基準を満たすセンシング結果が取得されたか否かを区別する。一例として所定基準は、イメージセンサにより生成される画像の所定数の画素値が、所定範囲に収まる場合に満たされず、その所定範囲を超える場合に満たされる。より具体的な一例として、所定基準は、イメージセンサにより生成される画像の略全て（例えば９５％以上、或いは、９０％程度以上等）の画素の画素値としての輝度値が、所定狭範囲（輝度値を０〜２５５で表すときに０〜２０、或いは、２３５〜２５５といった狭い範囲）に収まる場合に満たされず、その所定狭範囲を超えて広く分布している場合に満たされる。この場合において、その略全ての画素の輝度値がいずれも２０以下や、いずれも２５０以上であれば所定基準は満たされない。なお、例えば輝度値を０〜２５５で表す場合において、統計処理として、各画素についての画素値（輝度値）の平均値の算出、中央値の算出等を行って、その算出結果が、２０以下或いは２５０以上であれば所定基準が満たされず、それ以外であれば所定基準が満たされる等と規定してもよい。イメージセンサは、自動感度調整機能を有するが、明暗の変化への追随が遅れる等によって、明る過ぎる又は暗過ぎるという画像の画質の低下が一時的に生じ得る。そこで、判定部１３０では、例えば画素値と閾値との比較等によって画像について所定基準が満たされたか否かを判定することで、車両１Ａが正常状況か否かを判定する。
【００５１】
このように、本実施の形態では、第１状況の判定は、イメージセンサから所定条件を満たすセンシング結果が取得されたか否かを判定することを含む。具体的には、第１状況の判定は、イメージセンサによるセンシング結果として生成された画像の画素値についての統計処理の結果と閾値との比較を含む。また、所定条件は、イメージセンサにより生成される画像の所定数の画素値が、所定範囲に収まる場合に満たされず、その所定範囲を超える場合に満たされる。
【００５２】
生成部１４０は、ＥＣＵにおけるプログラムを実行するプロセッサ等で実現され、車両１Ａが正常状況にあると判定部１３０が判定した場合には車載センサ２００Ａから取得部１１０Ａを介して取得したセンシング結果に基づいて走行支援情報を生成し、車両１Ａが正常状況にないと判定部１３０が判定した場合にはその車載センサ２００Ａから取得したセンシング結果に基づかずに、外部装置（例えば車両１Ｂの情報処理装置１００Ｂ）から受信したセンシング結果に基づいて走行支援情報を生成する。具体例としては、車両１Ａが、車載センサ２００Ａから所定基準を満たすセンシング結果が取得される正常状況にない場合、例えばトンネル１０に進入した直後等には、車載センサ２００Ａによるセンシング結果としての画像の精度が低いので走行支援情報の生成にそのセンシング結果を利用せずに、送信要求に応じて車両１Ｂ等から送信されるセンシング結果を受信して利用する。これにより車載センサ２００Ａのセンシング結果の精度が低い場合においても、車両１Ａの進路上の障害物、路面状態等の誤検知、検知漏れ等が防止され得る。なお、生成部１４０は、車両１Ａが正常状況にある場合には、走行支援情報の生成に、外部装置から受信したセンシング結果を利用してもよいし、しなくてもよい。車両１Ａが正常状況にある場合において、外部装置から受信したセンシング結果を利用するときには、車載センサ２００Ａでのセンシング結果が所定基準を満たす限り車載センサ２００Ａでのセンシング結果を優先して利用することが有用である。
【００５３】
このように、本実施の形態では、生成部１４０は、特定の時点の車両１Ａの状況が第１状況であると判定部１３０が判定した場合にはセンサから取得したセンシング結果に基づいて、車両１Ａの移動を制御するための第１情報を生成し、特定の時点の車両１Ａの状況が第１状況でないと判定部１３０が判定した場合には外部装置から受信したセンシング結果に基づいて第１情報を生成する。
【００５４】
出力部１５０は、ＥＣＵにおける出力インタフェース等により実現され、生成部１４０により生成された走行支援情報を情報処理装置１００Ａから出力する。例えば、出力部１５０は、ディスプレイ等のユーザインタフェース装置を介して走行支援情報（例えば進路上の障害物までの距離、障害物の種類等の情報）を出力することで、ユーザに情報を提示（表示等）する。また、例えば、出力部１５０は、車両制御装置２１０に対して、その走行支援情報を制御信号として伝達（つまり送信）することで、車両制御装置２１０に車両１Ａの走行に係る制御（エンジン、ブレーキ、ステアリング等の制御）を行わせる。
【００５５】
また、図２に示すように、車両１Ｂは、情報処理装置１００Ｂと車載センサ２００Ｂとを備える。ここでは、車両１Ａの走行支援に着目しているので、車両１Ｂにおいて車両制御装置等を省略しているが、車両１Ｂは、上述した車両１Ａと同様の構成を備えるものであってもよく、逆に車両１Ａも、この車両１Ｂと同様の構成を備えることとしてもよい。
【００５６】
車両１Ｂの車載センサ２００Ｂは、例えば車両１Ｂの外部（前方等）であって対向車（車両１Ａ）の進路まで包含する範囲についてセンシングするセンサ（例えばイメージセンサ、レーダー、ライダー等）である。車載センサ２００Ｂは、車両１Ａの進路をセンシングすることでセンシング結果を情報処理装置１００Ｂに伝達する。
【００５７】
情報処理装置１００Ｂは、車両１Ｂ内の１台の電子制御ユニット（ＥＣＵ）又は車載ネットワーク（バス等）で接続された複数台のＥＣＵで構成され、機能面において取得部１１０Ｂ及び通信部１２０Ｂを有する。なお、情報処理装置１００Ｂは、上述した情報処理装置１００Ａと同様の構成を包含するものであってもよいし、逆に情報処理装置１００Ａも、この情報処理装置１００Ｂと同様の構成を備えることとしてもよい。
【００５８】
取得部１１０Ｂは、ＥＣＵにおける入力インタフェース等により実現され、車載センサ２００Ｂから得たセンシング結果を取得する。
【００５９】
通信部１２０Ｂは、ＥＣＵにおける通信回路、プログラムを実行するプロセッサ等により実現され、車両１Ｂから所定近距離範囲内（例えば数十ｍ以内等）を走行する他の車両（ここでは車両１Ａ）において進路のセンシングが適切に行えなくなる状況が発生する際に、車載センサ２００Ｂからのセンシング結果を当該他の車両（車両１Ａ）に送信する。具体的には、通信部１２０Ｂは、車両１Ａから送信要求を受信した際を、車両１Ａにおいて進路のセンシングが適切に行えなくなる状況が発生する際であるとして、取得部１１０Ｂにより取得された車載センサ２００Ｂからのセンシング結果の車両１Ａへの送信を行う。
【００６０】
［１．３  車両１Ａの車載センサ２００Ａが撮像する画像の例］
図３は、トンネル１０に進入する車両１Ａのイメージセンサ（車載センサ２００Ａ）により撮像された画像の例を示す。図３の（ａ）、（ｂ）、（ｃ）は、車両１Ａのイメージセンサによりこの順に撮像された画像の例である。なお、これら３つの各画像間の時間にもイメージセンサは繰り返し画像を撮像している。
【００６１】
図３の（ａ）は、トンネル１０の外部から出入り口に車両１Ａが近付いている際に車載センサ２００Ａが撮像した画像（つまり撮像により生成された画像）を示す。晴天の昼間等においてトンネル１０の外部に対して内部は極めて暗く、トンネル１０の外部から撮像した画像では内部の様子を十分に表せない。図３の（ｂ）は、車両１Ａがトンネル１０の出入り口を通過して内部へ入った直後に車載センサ２００Ａが撮像した画像を示す。トンネル１０内に入った直後では、イメージセンサの自動感度調整が明るさの急激な変化のために遅れ、このため撮像した画像の各画素の輝度値が極めて低い、暗い画像が生成される。この画像からは画像解析によって車両１Ａの進路上の障害物等を適切に検知することが困難となる。図３の（ｃ）は、車両１Ａがトンネル１０の出入り口を通過して内部へ入って十数秒等が経過した際に撮像された画像を示す。この画像では、感度が適切に調整されており、画像解析により車両１Ａの進路上の障害物等（例えば故障車両等）を適切に検知でき、障害物等の位置、サイズ等の検知が可能となる。なお、画像からの障害物等の検知に、いかなる画像解析技術を用いてもよい。
【００６２】
車載センサ２００Ａにより図３の（ｂ）の画像が生成されるような場合には、この画像に基づいて車両１Ａの走行の支援のための走行支援情報を生成することが適切ではない。そのため、このような場合には、車両１Ａの情報処理装置１００Ａは、その画像の各画素の輝度値等に基づいて、車両１Ａが、所定基準を満たす画像が取得される正常状況にないと判定して、車両１Ｂ等に車両１Ａの進路についてのセンシング結果の送信要求を送信し、例えば車両１Ｂからセンシング結果を受信して、走行支援情報の生成のために用いる。これにより、情報処理装置１００Ａは、図３の（ｂ）のような画像が撮像される時間においても適切に車両１Ａの走行支援を行うことができる。
【００６３】
［１．４  情報処理装置１００Ａの動作］
図４は、情報処理装置１００Ａによる車両１Ａの走行支援のための情報処理の一例を示すフローチャートである。以下、車両１Ａが晴天の昼間にトンネル１０に進入する場合（図１参照）を例として、図４に即して、情報処理装置１００Ａの動作について説明する。
【００６４】
車両１Ａの情報処理装置１００Ａは、取得部１１０Ａにより、車両１Ａの進路をセンシングする車載センサ２００Ａ（イメージセンサ等）からセンシング結果（画像等）を取得する（ステップＳ１１）。
【００６５】
次に、情報処理装置１００Ａは、判定部１３０により、車載センサ２００Ａから所定基準を満たすセンシング結果としての画像（例えば暗過ぎなく明る過ぎない適切な画像）が取得される正常状況であるか否かを判定する（ステップＳ１２）。
【００６６】
車両１Ａがトンネル１０に到達する前は、或いはトンネル１０の出入り口を通過して十分な時間（例えば十数秒等）が経過した後は、車載センサ２００Ａから所定基準を満たす画像（適切な画像）が得られ、車両１Ａは正常状況にあると判定される。
【００６７】
ステップＳ１２で正常状況であると判定した場合には、情報処理装置１００Ａは、生成部１４０により、取得部１１０Ａが取得した車載センサ２００Ａからのセンシング結果としての画像に基づいて画像処理により障害物等を検知し、その検知結果に基づいて走行支援情報を生成する（ステップＳ１３）。続いて、情報処理装置１００Ａは、生成された走行支援情報を出力部１５０により出力（例えば、車両制御装置２１０へ送出、ディスプレイに表示等）して（ステップＳ１４）、ステップＳ１１での処理に戻る。
【００６８】
車両１Ａがトンネル１０の出入り口を通過して明るい領域から暗い領域へと入った直後には、車載センサ２００Ａから所定基準を満たす画像が得られず、車両１Ａは正常状況にないと判定される。
【００６９】
ステップＳ１２で正常状況でないと判定した場合には、情報処理装置１００Ａは、通信部１２０Ａにより、外部装置（例えば対向車である車両１Ｂの情報処理装置１００Ｂ）に車両１Ａの進路についてのセンシング結果の送信要求を送信する（ステップＳ１５）。車両１Ｂでは、情報処理装置１００Ｂが送信要求に対応して車載センサ２００Ｂにより取得したセンシング結果を送信するので、通信部１２０Ａは、車両１Ｂから送信されるセンシング結果を受信する（ステップＳ１６）。次に、生成部１４０が、車両１Ｂ（情報処理装置１００Ｂ）から受信したセンシング結果に基づいて、車両１Ａの進路上の障害物等の検知を行ってその検知結果等を示す走行支援情報を生成する（ステップＳ１７）。つまり、生成部１４０は、特定の時点の車両１Ａの状況が第１状況でないと判定部１３０が判定した場合には、センサから取得したセンシング結果に基づかずに第１情報を生成する。続いて、情報処理装置１００Ａは、生成された走行支援情報を出力部１５０により出力して（ステップＳ１４）、ステップＳ１１での処理に戻る。
【００７０】
このように、情報処理装置１００Ａは、車両１Ａが、正常状況（車載センサ２００Ａから所定基準を満たすセンシング結果としての画像が取得される状況）にない場合、つまり車載センサ２００Ａによるセンシング結果の精度が極めて低下する場合においても、外部装置からセンシング結果を受信することで適切に走行支援情報を生成することができる。
【００７１】
（実施の形態２）
以下、上述した実施の形態１に係る情報処理装置１００Ａの動作を一部変形した実施の形態について説明する。
【００７２】
［２．１  車両のシステム構成］
本実施の形態では、情報処理装置１００Ａを搭載する車両１Ａ、及び、車両１Ａの近くを走行する車両１Ｂのシステム構成は、実施の形態１で示したもの（図２参照）と概ね同様であるので、各車両の構成等について図２で示す符号を用い、説明を適宜省略する。即ち、車両１Ａ及び車両１Ｂの構成は、ここで特に示さない点については、実施の形態１と同様である。
【００７３】
実施の形態１では、情報処理装置１００Ａが、車載センサ２００Ａに含まれるイメージセンサが撮像した画像の各画素の輝度に基づいて、車両１Ａが、所定基準を満たすセンシング結果が取得できる正常状況にあるか否かを、判定して、正常状況にない場合に外部装置にセンシング結果の送信要求を送信する例を示した。これに対して、本実施の形態では、イメージセンサが撮像した画像の各画素の輝度に基づく判定を行うより前に、情報処理装置１００Ａが、別の方法で、所定基準を満たすセンシング結果が取得困難な状況であるか否かを判定し、その困難な状況であれば外部装置にセンシング結果の送信要求を送信する。
【００７４】
［２．２  情報処理装置１００Ａの動作］
図５は、本実施の形態における情報処理装置１００Ａによる車両１Ａの走行支援のための情報処理の一例を示すフローチャートである。以下、車両１Ａが晴天の昼間にトンネル１０に進入する場合（図１参照）を例として、図５に即して、情報処理装置１００Ａの動作について説明する。
【００７５】
車両１Ａの情報処理装置１００Ａは、取得部１１０Ａにより、車両１Ａの進路をセンシングする車載センサ２００Ａ（イメージセンサ等）からセンシング結果（画像等）を取得する（ステップＳ２１）。
【００７６】
情報処理装置１００Ａは、車載センサ２００Ａから所定基準を満たすセンシング結果としての画像の取得が困難な状況（例えば車両１Ａが、明るさの大きく異なる連続した２領域の境界付近を走行している状況）か否かを判定する（ステップＳ２２）。具体的には、情報処理装置１００Ａは、例えば、トンネル１０の出入り口付近を車両１Ａが走行している状況を、車載センサ２００Ａから所定基準を満たす画像の取得が困難な状況であると判定する。トンネル１０の出入り口付近を車両１Ａが走行しているか否かは、例えば、予め定められたトンネル１０の出入り口の画像の特徴（図３の（ａ）に示すようなトンネルの外部から見たトンネルの出入り口の外観に係る特徴等）とイメージセンサにより生成された画像から抽出された特徴等とを比較する画像処理等によって判別可能である。また、トンネル１０の出入り口に設置された路側機が近距離無線通信技術によって発信するビーコン等を受信できるか否かによって判別してもよい。また、測位センサによる車両１Ａの位置の測定結果と、トンネル１０の出入り口の所在位置を示す位置情報（地図情報）とを比較することによって判別してもよい。つまり、上述の２領域間を車両１Ａが移動するかを判定することは、車両１Ａの位置の測定結果と、その２領域の所在位置を示す位置情報とに基づいて、車両１Ａがその２領域の境界に接近しているかを判定することを含む。これらにより、後述するステップＳ２５で、車載センサ２００Ａから所定基準を満たすセンシング結果が取得される正常状況でないと判定した場合に必要となる、外部装置から受信されたセンシング結果が得られることになる。
【００７７】
なお、上述の２領域間を車両１Ａが移動するかを判定することは、イメージセンサから取得される画像情報の示す画像に２領域の境界が映っているかを判定することを含んでもよい。例えば、情報処理装置１００Ａは、画像にトンネルが映っていれば、２領域間を車両１Ａが移動すると判定し、トンネルが映っていなければ、２領域間を車両１Ａが移動しないと判定する。これにより、車両１Ａが２領域の境界を移動することを、既存の構成であるイメージセンサを用いて判定することができる。したがって、コストの増加を抑制することができる。
【００７８】
ステップＳ２２で、車載センサ２００Ａから所定基準を満たす画像の取得が困難な状況であると判定した場合には、情報処理装置１００Ａは、通信部１２０Ａにより、外部装置（例えば車両１Ｂの情報処理装置１００Ｂ）に、車両１Ａの進路についてのセンシング結果の送信要求を、送信する（ステップＳ２３）。そして通信部１２０Ａは、車両１Ｂから送信されるセンシング結果を受信する（ステップＳ２４）。情報処理装置１００Ａは、ステップＳ２２で、車載センサ２００Ａから所定基準を満たす画像の取得が困難な状況でないと判定した場合（例えばトンネル１０に向かって走行中の車両１Ａがまだトンネル１０の出入口付近まで到達していない場合等）には、ステップＳ２３、Ｓ２４での処理をスキップする。
【００７９】
情報処理装置１００Ａは、判定部１３０により、車載センサ２００Ａから所定基準を満たすセンシング結果としての画像（例えば暗過ぎなく明る過ぎない適切な画像）が取得される正常状況であるか否かを判定する（ステップＳ２５）。この判定は、実施の形態１で示したステップＳ１２での判定と同様である。但し、ステップＳ２５では、情報処理装置１００Ａは、車両１Ａのイメージセンサにより撮像された画像の輝度が明る過ぎる或いは暗過ぎる等を判別することなく、上述のステップＳ２２での判定と同様の方法で、正常状況であるか否かの判定を行うこととしてもよい。即ち、情報処理装置１００Ａは、所定基準を満たす画像の取得が困難な状況であると判定した場合に正常状況でない見做し、その困難な状況でないと判定した場合には正常状況であると見做すことにより、ステップＳ２５での正常状況であるか否かの判定を行ってもよい。
【００８０】
ステップＳ２５での判定の結果として、車両１Ａが正常状況にある場合には、情報処理装置１００Ａは、生成部１４０により、車載センサ２００Ａから得られた画像に基づいて走行支援情報を生成して（ステップＳ２６）、出力部１５０により、その走行支援情報を出力する（ステップＳ２７）。また、車両１Ａが正常状況にない場合には、情報処理装置１００Ａは、ステップＳ２４で外部装置（例えば車両１Ｂの情報処理装置１００Ｂ）から受信したセンシング結果に基づいて、生成部１４０により走行支援情報を生成して（ステップＳ２８）、出力部１５０により走行支援情報を出力する（ステップＳ２７）。また、情報処理装置１００Ａは、ステップＳ２７での出力の後に、ステップＳ２１での処理に戻る。
【００８１】
このように、情報処理装置１００Ａは、車両１Ａが、明るさの差異が大きな領域の間を移動する際等（つまり車載センサ２００Ａから所定基準を満たすセンシング結果としての画像の取得が困難となると推定される状況）において、外部装置（車両１Ｂ等の車両或いは路側機等）に車両１Ａの進路についてのセンシング結果の送信要求を送信しておき、外部装置からセンシング結果を受信する。これにより、車載センサ２００Ａから所定基準を満たすセンシング結果としての画像が取得されなくなっても、情報処理装置１００Ａは、受信したセンシング結果を用いて適切に走行支援情報を生成することができる。また、外部装置にとっては、送信要求を待つことで、必要時にのみセンシング結果を送信することが可能となり、不要な通信を抑制し得る。
【００８２】
（実施の形態３）
以下、上述した実施の形態１に係る情報処理装置１００Ａの動作を一部変形した、また別の実施の形態について説明する。
【００８３】
［３．１  車両のシステム構成］
本実施の形態でも、情報処理装置１００Ａを搭載する車両１Ａ、及び、車両１Ａの近くを走行する車両１Ｂのシステム構成は、実施の形態１で示したもの（図２参照）と概ね同様であるので、各車両の構成等について図２で示す符号を用い、説明を適宜省略する。即ち、車両１Ａ及び車両１Ｂの構成は、ここで特に示さない点については、実施の形態１と同様である。
【００８４】
実施の形態１では、情報処理装置１００Ａが、車載センサ２００Ａに含まれるイメージセンサが撮像した画像の各画素の輝度に基づいて、車両１Ａが、所定基準を満たすセンシング結果が取得できる正常状況にあるか否かを、判定して、正常状況にない場合に外部装置にセンシング結果の送信要求を送信する例を示した。これに対して、本実施の形態では、外部装置がセンシング結果を自発的に送信し、情報処理装置１００Ａは送信要求の送信を行わずに、外部装置からセンシング結果を受信する。
【００８５】
［３．２  情報処理装置１００Ａの動作］
図６は、本実施の形態における情報処理装置１００Ａによる車両１Ａの走行支援のための情報処理の一例を示すフローチャートである。以下、車両１Ａが晴天の昼間にトンネル１０に進入する場合（図１参照）を例として、図６に即して、情報処理装置１００Ａの動作について説明する。
【００８６】
車両１Ａの情報処理装置１００Ａは、取得部１１０Ａにより、車両１Ａの進路をセンシングする車載センサ２００Ａ（イメージセンサ等）からセンシング結果（画像等）を取得する（ステップＳ３１）。
【００８７】
また、情報処理装置１００Ａは、通信部１２０Ａにより、近距離無線通信技術によって外部装置（車両、路側機等の装置）から、車両１Ａの進路についてのセンシング結果が送信されている場合にそのセンシング結果を受信する（ステップＳ３２）。ここでは、外部装置は、トンネル１０の出入り口付近においてセンシングして得られたセンシング結果を送信するものとする。外部装置の１つとしての車両１Ｂの情報処理装置１００Ｂによるセンシング結果の送信については図７を用いて後述する。なお、外部装置は、送信するセンシング結果には、そのセンシングした位置等の付加情報を付して送信してもよい。
【００８８】
次に、情報処理装置１００Ａは、判定部１３０により、車載センサ２００Ａから所定基準を満たすセンシング結果としての画像（例えば暗過ぎなく明る過ぎない適切な画像）が取得される正常状況であるか否かを判定する（ステップＳ３３）。
【００８９】
車両１Ａがトンネル１０に到達する前は、或いはトンネル１０の出入り口を通過して十分な時間（例えば十数秒等）が経過した後は、車載センサ２００Ａから所定基準を満たす画像（適切な画像）が得られ、車両１Ａは正常状況にあると判定される。
【００９０】
ステップＳ３３で正常状況であると判定した場合には、情報処理装置１００Ａは、生成部１４０により、取得部１１０Ａが取得した車載センサ２００Ａからのセンシング結果としての画像に基づいて画像処理により障害物等を検知し、その検知結果に基づいて走行支援情報を生成する（ステップＳ３４）。続いて、情報処理装置１００Ａは、生成された走行支援情報を出力部１５０により出力（例えば、車両制御装置２１０へ送出、ディスプレイに表示等）して（ステップＳ３５）、ステップＳ３１での処理に戻る。
【００９１】
車両１Ａがトンネル１０の出入り口を通過して明るい領域から暗い領域へと入った直後には、車載センサ２００Ａから所定基準を満たす画像が得られず、車両１Ａは正常状況にないと判定される。
【００９２】
ステップＳ３３で正常状況でないと判定した場合には、情報処理装置１００Ａは、ステップＳ３２で通信部１２０Ａが受信した外部装置（例えば対向車である車両１Ｂの情報処理装置１００Ｂ）からの車両１Ａの進路についてのセンシング結果に基づいて、車両１Ａの進路上の障害物等の検知を行ってその検知結果等を示す走行支援情報を生成する（ステップＳ３６）。続いて、情報処理装置１００Ａは、生成された走行支援情報を出力部１５０により出力して（ステップＳ３５）、ステップＳ３１での処理に戻る。
【００９３】
なお、トンネル１０に向かって走行中の車両１Ａがまだトンネル１０の出入口付近まで到達していない場合には、情報処理装置１００Ａは、ステップＳ３２でのセンシング結果の受信に失敗してもよい。この場合において、イメージセンサ等の車載センサ２００Ａによるセンシング結果としての画像等が適切に取得できるはずであり、ステップＳ３４に進み、車両１Ａの走行支援のためにその車載センサ２００Ａからの適切な画像（つまり所定基準を満たすセンシング結果）に基づいて走行支援情報を適切に生成できるからである。車両１Ａにとっては、車載センサ２００Ａから所定基準を満たすセンシング結果（例えばイメージセンサで撮像される画像）が得られる限りにおいて優先的に車載センサ２００Ａからのセンシング結果（画像等）に基づいて走行支援情報を生成することが有用となる。
【００９４】
［３．３  情報処理装置１００Ｂの動作等］
以下、車両１Ａの対向車（図１参照）となる車両１Ｂの情報処理装置１００Ｂについて説明する。
【００９５】
車両１Ｂの情報処理装置１００Ｂの通信部１２０Ｂは、近距離（例えば数十ｍ等の所定近距離範囲内）を走行する他の車両（例えば車両１Ａ）において進路のセンシングが適切に行えなくなる状況が発生する際に、車載センサ２００Ｂからのセンシング結果の、他の車両への送信を行う。実施の形態１では、通信部１２０Ｂは、車両１Ａ（つまり車両１Ａの情報処理装置１００Ａ）から送信要求を受信した際を、車両１Ａにおいて進路のセンシングが適切に行えなくなる状況が発生する際であるとして、取得部１１０Ｂにより取得された車載センサ２００Ｂからのセンシング結果の車両１Ａへの送信を行うこととした。しかし、本実施の形態では、車両１Ｂの通信部１２０Ｂは、各領域内の明るさの差異が所定程度以上に大きな連続した２領域に接近した際（ここでは一例としてトンネル１０の出入り口付近に接近した際）を、車両１Ａにおいて進路のセンシングが適切に行えなくなる状況が発生する際であるとして、車載センサ２００Ｂからのセンシング結果を送信する。なお、センシング結果は、車両１Ｂの周辺または車両１Ａの進路上に異常が発生した場合にのみ送信されるとしてもよい。例えば、車両１Ｂの通信部１２０Ｂは、車両１Ｂの周辺または車両１Ａの進路上において事故、崩落または渋滞が発生した場合にのみ、センシング結果を送信する。また、センシングの有無が当該異常の発生に応じて制御されてもよい。
【００９６】
情報処理装置１００Ｂが、トンネル１０内を走行中の車両１Ｂがトンネル１０の出入り口付近に接近したか否かを判定する方法としていかなる方法を用いてもよい。車両１Ｂがトンネル１０の出入り口付近に接近したか否かは、例えば、予め定められたトンネル１０の出入り口の画像の特徴（トンネルの内部から見たトンネルの出入り口に係る特徴等）とイメージセンサにより生成された画像から抽出された特徴等とを比較する画像処理等によって判別可能である。また、情報処理装置１００Ｂは、車両１Ｂがトンネル１０の出入り口付近に接近したか否かを、トンネル１０の出入り口に設置された路側機が近距離無線通信技術によって発信するビーコン等を受信できるか否かによって判別してもよい。また、車両１Ｂの位置の測定結果と、トンネル１０の出入り口の所在位置を示す位置情報（地図情報）とを比較することによって判別してもよい。
【００９７】
図７は、車両１Ｂの情報処理装置１００Ｂによる他の車両の走行支援のための処理の一例を示すフローチャートである。以下、トンネル１０内を走行中の車両１Ｂがトンネル１０の出入り口付近に近づいた場合（図１参照）を例として、図７に即して、情報処理装置１００Ｂの動作について説明する。
【００９８】
車両１Ｂの情報処理装置１００Ｂは、近距離を走行する車両が進路のセンシングを適切に行えなくなる状況であるかを繰り返し判定する（ステップＳ４１）。例えば、トンネル１０の出入り口付近では、明るさの大きく異なる領域間の境界が生じ、その境界を通過した車両のイメージセンサでは、その通過直後において適切な画像（明る過ぎなく暗過ぎない画像）が一時的に生成できないことがある。このため、一例としては、情報処理装置１００Ｂは、トンネル１０内を走行中の車両１Ｂがトンネル１０の出入り口付近に接近した際に、車両１Ｂから近距離の車両（例えば車両１Ａ）が進路のセンシングを適切に行えなくなる状況であると判定する。
【００９９】
ステップＳ４１で、近距離を走行する車両（例えば車両１Ａ）が進路のセンシングを適切に行えなくなる状況であると判定した場合に、情報処理装置１００Ｂは、取得部１１０Ｂにより、車載センサ２００Ｂからその近距離の車両（例えば車両１Ａ）の進路を包含する範囲のセンシング結果を取得する（ステップＳ４２）。
【０１００】
続いて、情報処理装置１００Ｂは、通信部１２０Ｂにより、ステップＳ４２で取得したセンシング結果をその近距離の車両に、近距離無線通信技術によって送信する（ステップＳ４３）。
【０１０１】
このように、本実施の形態では、情報処理装置１００Ｂは、車両１Ｂにおける第１センサ又は車両１Ｂの周辺の第２センサから車両１Ｂの外部についてのセンシング結果を取得する取得部１１０Ｂと、車両１Ａの特定の時点の状況が、車両１Ａに搭載されて車両１Ａの進路をセンシングする第３センサから取得されるセンシング結果が所定条件を満たす第１状況であるかを判定する判定部と、特定の時点の車両１Ａの状況が第１状況でないと判定されることに応じて、取得部１１０Ｂによって第１センサ又は第２センサから取得されるセンシング結果を送信する通信部１２０Ｂとを備える。具体的には、取得部１１０Ｂは、第１センサ又は第２センサから車両１Ｂの進路についてのセンシング結果を取得し、特定の時点の車両１Ａの状況が第１状況であるかの判定は、各領域内の明るさの差異が所定程度以上である連続した２領域を車両１Ａが移動するかを判定することを含み、通信部１２０Ｂは、車両１Ｂが２領域の境界に接近したことに応じて第１センサ又は第２センサから取得されるセンシング結果を送信する。なお、車両１Ａの状況が第１状況であるかの判定は、通信部１２０Ｂが車両１Ａからセンシング結果の送信要求を受信したかを判定することを含み、通信部１２０Ｂは、車両１Ａから送信要求を受信したことに応じて第１センサ又は第２センサから取得されるセンシング結果を送信してもよい。
【０１０２】
これにより、トンネル１０の内部を走行する車両１Ｂがトンネル１０の出入り口に接近した際に、車両１Ｂでセンシングした結果（センシング結果）が車両１Ｂから送信され、このセンシング結果を、トンネル１０の外部からトンネル１０の内部へと移動しているところの車両１Ａが受信することになる。このため、車両１Ａの情報処理装置１００Ａにおいて、図６で示したステップＳ３２でのセンシング結果の受信が可能となり、車両１Ａがトンネル１０の内部に入った直後においても適切な走行支援が実現される。
【０１０３】
（変形例等）
以上のように、本発明に係る技術の例示として実施の形態１〜３を説明した。しかしながら、本発明に係る技術は、これに限定されず、適宜、変更、置き換え、付加、省略等を行った実施の形態にも適用可能である。例えば、以下のような変形例も本発明の一実施態様に含まれる。
【０１０４】
（１）上記実施の形態では、情報処理装置１００Ａは、車両１Ａが、正常状況（車載センサ２００Ａから所定基準を満たすセンシング結果としての画像が取得される状況）であるか否かの判定を、車載センサ２００Ａにおけるイメージセンサが生成した画像の各輝度値に基づいて行う例を示した。また、その判定を、トンネルの出入り口付近に接近したか否かに基づいて推定的に行う例を示した。これは、イメージセンサが生成した画像の精度（例えば被写体の解像度等）が、明るさの急な変化により低下することに、対処するための一例である。しかし、明るさの急な変化が生じ得る状況は、トンネルの出入り口の付近を走行する場合には限られない。即ち、車両１Ａは、トンネル１０、地下駐車場或いは屋内駐車場等の出入り口を通過する場合（トンネル１０等に入る場合及びトンネル１０等から出る場合）、或いは、夜間に暗い領域から照明で照らされた明るい領域に進入するような場合、或いは、夜間に急に照明（例えば対向車の前照灯）で照らされるような場合等においても、車両１Ａは、正常状況でない状況となる。従って、情報処理装置１００Ａは、正常状況であるか否かの判定を、地下駐車場或いは屋内駐車場の出入り口に接近したか否か等に基づいて行ってもよい。また、同様に、実施の形態３で示した車両１Ｂは、車載センサ２００Ｂによるセンシング結果を、他の車両が正常状況でないと推定される場合において他の車両に送信すればよく、地下駐車場等の出入り口に接近した際、夜間に他の車両である対向車に対して前照灯で強い光（ハイビーム）を照射した際等において、そのセンシング結果の送信を行うこととしてもよい。また、車両１Ｂが黒い車体等の暗所で視認されにくい車体を有するのであれば、車両１Ｂが暗い場所を走行中に車両１Ｂが自車両の所在位置等を含むセンシング結果の、近距離の車両への送信を行い、車両１Ｂが白い車体等の光を反射し易い車体を有するのであれば、車両１Ｂが明るい場所を走行中に車両１Ｂが自車両の所在位置等を含むセンシング結果の、近距離の車両への送信を行うこととしてもよい。これにより、周囲を走行中の対向車等である車両１Ａから車両１Ｂが観測しにくい場合において、車両１Ａの情報処理装置１００Ａは、車両１Ｂから送信されるセンシング結果に基づいて車両１Ｂと衝突しないように適切に車両１Ａの走行を支援することが可能となる。
【０１０５】
（２）上記実施の形態では、情報処理装置１００Ａの生成部１４０は、車両１Ａが正常状況にないと判定部１３０が判定した場合には、車載センサ２００Ａからのセンシング結果としての画像に基づかずに外部装置から受信したセンシング結果に基づいて走行支援情報を生成することとした。しかし、車両１Ａが正常状況にない場合においても、車載センサ２００Ａからのセンシング結果としての画像と外部装置から受信したセンシング結果との両方に基づいて走行支援情報を生成することとしてもよい。但し、この正常状況にない場合においては、車載センサ２００Ａから取得したセンシング結果が走行支援情報に与える影響を、車両１Ａが正常状況にあると判定部１３０が判定した場合より抑制して、走行支援情報の生成を行うことが有用である。具体例としては、情報処理装置１００Ａは、正常状況においては車載センサ２００Ａからのセンシング結果（画像）を１００％利用する或いは外部装置から受信したセンシング結果と併用するが両方のセンシング結果が相反するとき等において車載センサ２００Ａのセンシング結果の方を優先して利用し、正常状況でない状況下では、外部装置から受信したセンシング結果と車載センサ２００Ａのセンシング結果とを例えば加重平均で車載センサの方を低く重み付けて利用し、或いは、両方の結果が相反する場合に外部装置から受信したセンシング結果を優先して利用することとしてもよい。このように、生成部１４０は、特定の時点の車両１Ａの状況が第１状況でないと判定部１３０が判定した場合には、センサから取得したセンシング結果にも基づいて、センサからのセンシング結果が第１情報に与える影響を、特定の時点の車両１Ａの状況が第１状況であると判定部１３０が判定した場合より抑制してもよい。
【０１０６】
（３）上記実施の形態では、車両１Ａに搭載される情報処理装置１００Ａが、車両１Ａに搭載されたセンサによるセンシング結果が適切でない場合に外部装置から受信したセンシング結果に基づいて車両１Ａの走行を支援する例、或いは、車両１Ｂに搭載される情報処理装置１００Ｂが、車両１Ｂに搭載されたセンサによるセンシングを車両１Ａに送信することで車両１Ａの走行を支援する例等を示した。しかし、このような情報処理装置は、車両以外の移動体（例えば移動するロボット等）に搭載される装置であってもよい。例えば一の移動体に搭載される情報処理装置１００Ａは、その移動体に搭載されたセンサ（移動体搭載センサ）から所定基準を満たすセンシング結果（例えばイメージセンサが撮像した画像）が取得される正常状況においては、そのセンシング結果に基づいてその移動体の移動（走行等）を支援する移動支援情報（走行支援情報等）を生成し、その正常状況でない状況においては、外部装置から受信したセンシング結果に基づいてその移動体の移動（走行等）を支援する移動支援情報（走行支援情報等）を生成することとしてもよい。また、例えば第１移動体に搭載される情報処理装置１００Ｂが、その第１移動体における移動体搭載センサによるセンシング結果（或いはその第１移動体の周辺の路側機等から取得したその路側機等のセンサによるセンシング結果）を、近距離を走行する第２移動体において進路のセンシングが適切に行えなくなる状況が発生する際に、その第２移動体に送信することとしてもよい。第２移動体への送信は、宛先を特定しない情報の送信（所謂ブロードキャスト）であってもよい。即ち、上記実施の形態で示した車両１Ｂを、車両以外の移動体（第１移動体）としてもよく、また、車両１Ａを、車両以外の移動体（第２移動体）としてもよい。
【０１０７】
（４）上記実施の形態で示した各種処理の手順（例えば図４〜図７に示した処理手順等）の実行順序は、必ずしも、上述した通りの順序に制限されるものではなく、発明の要旨を逸脱しない範囲で、実行順序を入れ替えたり、複数の手順を並列に行ったり、その手順の一部を省略したりすることができる。また、情報処理装置１００Ａ、１００Ｂは、外部のサーバ装置等と通信することによって、車両等に係る情報処理方法の一部の処理（例えば図４〜図７における一部のステップ等）をそのサーバ装置等に分担させてもよい。また、車両１Ｂと同様に路側機が車両１Ａの進路についてのセンシング結果を送信する場合において、外部のサーバ装置等を経由して車両１Ａにセンシング結果を送信することとしてもよい。
【０１０８】
（５）上記実施の形態では、情報処理装置１００Ａは、車両１Ａが、正常状況（車載センサ２００Ａから所定基準を満たすセンシング結果が取得される状況）にあるか否かを判定する例として、イメージセンサが撮像により生成した画像の各画素の画素値に基づく判定、或いは、明るさの差の大きな領域間の境界（例えばトンネル１０の出入り口等）の付近か否かによる判定等の例を示した。これは、車載センサ２００Ａとしてのイメージセンサが撮像により生成する画像の精度が、急に明るさの変化する際に一時的に低下する点に着目した例である。しかし、同様に車載センサ２００Ａとしてのイメージセンサのセンシング結果の精度が低下する例としては、車両１Ａの進路に霧、豪雨が発生している場合等が挙げられる。霧、豪雨等の場合に対応するために、情報処理装置１００Ａを、例えば、イメージセンサが撮像により生成した画像の解析により、被写体の解像度が低く、ぼけた状態である場合には、車両１Ａが正常状況にないと判定し、その他の場合に正常状況にあると判定するように、構成してもよい。また、車載センサ２００Ａとしてイメージセンサ以外のセンサ（例えばレーダー、ライダー等）によるセンシング（観測）の精度が低下するような場合を、所定基準を満たさないと規定してもよい。即ち、車両１Ａの走行環境によって車載センサ２００Ａによるセンシングの精度が低下する際に、情報処理装置１００Ａは、車両１Ａが正常状況にないと判定して、外部装置からセンシング（観測）による情報（センシング結果）を受信して、その受信したセンシング結果に基づいて車両１Ａの走行支援のための走行支援情報を生成することとしてもよい。
【０１０９】
（６）上記実施の形態における情報処理装置１００Ａ、１００Ｂは、メモリ、プロセッサ等を含むＥＣＵを備え、メモリに記憶されたプログラム（ソフトウェア）を実行するプロセッサ等によって各種機能を実現する例を示したが、ソフトウェアを用いずに、専用のハードウェア（デジタル回路等）によりその機能を実現することとしてもよい。
【０１１０】
（７）上記実施の形態における各装置を構成する構成要素の一部又は全部は、１個のシステムＬＳＩ（Large Scale Integration：大規模集積回路）から構成されているとして
もよい。システムＬＳＩは、複数の構成部を１個のチップ上に集積して製造された超多機能ＬＳＩであり、具体的には、マイクロプロセッサ、ＲＯＭ、ＲＡＭ等を含んで構成されるコンピュータシステムである。前記ＲＡＭには、コンピュータプログラムが記録されている。前記マイクロプロセッサが、前記コンピュータプログラムに従って動作することにより、システムＬＳＩは、その機能を達成する。また、上記各装置を構成する構成要素の各部は、個別に１チップ化されていてもよいし、一部又は全部を含むように１チップ化されてもよい。また、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や
、ＬＳＩ内部の回路セルの接続や設定を再構成可能なリコンフィギュラブル・プロセッサを利用してもよい。更には、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてあり得る。
【０１１１】
（８）上記各装置を構成する構成要素の一部又は全部は、各装置に脱着可能なＩＣカード又は単体のモジュールから構成されているとしてもよい。前記ＩＣカード又は前記モジュールは、マイクロプロセッサ、ＲＯＭ、ＲＡＭ等から構成されるコンピュータシステムである。前記ＩＣカード又は前記モジュールは、上記の超多機能ＬＳＩを含むとしてもよい。マイクロプロセッサが、コンピュータプログラムに従って動作することにより、前記ＩＣカード又は前記モジュールは、その機能を達成する。このＩＣカード又はこのモジュールは、耐タンパ性を有するとしてもよい。
【０１１２】
（９）本発明の一態様としては、例えば図４〜図７等に示す処理手順の全部又は一部を含む情報処理方法であるとしてもよい。例えば、情報処理方法は、車両１Ａ（移動体）において走行に係る制御を行うための方法として、車両１Ａの進路をセンシングする車載センサ２００Ａ（移動体搭載センサ）からセンシング結果を取得する取得ステップ（例えばステップＳ１１等）と、車両１Ａの外部の外部装置から車両１Ａの進路についてのセンシング結果を受信する受信ステップ（例えばステップＳ１６等）と、車両１Ａの状況が、車載センサ２００Ａから所定基準を満たすセンシング結果が取得される正常状況である場合には車載センサ２００Ａから取得したセンシング結果に基づいて車両１Ａの走行の制御に用いる走行支援情報を生成し、車両１Ａが正常状況にない場合にはその外部装置から受信したセンシング結果に基づいて走行支援情報を生成する生成ステップ（例えばステップＳ１２、Ｓ１３、Ｓ１７等）とを含む。また、本発明の一態様としては、この情報処理方法に係る処理（所定情報処理）をコンピュータにより実現するコンピュータプログラムであるとしてもよいし、前記コンピュータプログラムからなるデジタル信号であるとしてもよい。また、本発明の一態様としては、前記コンピュータプログラム又は前記デジタル信号をコンピュータで読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Blu-ray（登録商標） Disc）、半導体メモリ等に記録したものとしてもよい。また、これらの記
録媒体に記録されている前記デジタル信号であるとしてもよい。また、本発明の一態様としては、前記コンピュータプログラム又は前記デジタル信号を、電気通信回線、無線又は有線通信回線、インターネットを代表とするネットワーク、データ放送等を経由して伝送するものとしてもよい。また、本発明の一態様としては、マイクロプロセッサとメモリを備えたコンピュータシステムであって、前記メモリは、上記コンピュータプログラムを記録しており、前記マイクロプロセッサは、前記コンピュータプログラムに従って動作するとしてもよい。また、前記プログラム若しくは前記デジタル信号を前記記録媒体に記録して移送することにより、又は、前記プログラム若しくは前記デジタル信号を、前記ネットワーク等を経由して移送することにより、独立した他のコンピュータシステムにより実施するとしてもよい。
【０１１３】
（１０）上記実施の形態及び上記変形例で示した各構成要素及び機能を任意に組み合わせることで実現される形態も本発明の範囲に含まれる。
【産業上の利用可能性】
【０１１４】
本発明は、車両等の移動体の走行を支援するために利用可能である。
【符号の説明】
【０１１５】
１Ａ、１Ｂ  車両
１０  トンネル
１１  障害物
１００Ａ、１００Ｂ  情報処理装置
１１０Ａ、１１０Ｂ  取得部
１２０Ａ、１２０Ｂ  通信部
１３０  判定部
１４０  生成部
１５０  出力部
２００Ａ、２００Ｂ  車載センサ
２１０  車両制御装置
【図１】
2018136917.tif 000003
【図２】
2018136917.tif 000004
【図３】
2018136917.tif 000005
【図４】
2018136917.tif 000006
【図５】
2018136917.tif 000007
【図６】
2018136917.tif 000008
【図７】
2018136917.tif 000009